【手続補正書】
【提出日】平成18年6月22日(2006.6.22)
【手続補正１】
【補正対象書類名】明細書
【補正対象項目名】特許請求の範囲
【補正方法】変更
【補正の内容】
【特許請求の範囲】
【請求項１】
原稿画像の読み取りを行う原稿読み取り手段と、該読み取り動作に伴い原稿サイズの検出を行う原稿サイズ検出手段と、読み取った原稿画像データを蓄積する手段と、検出された原稿サイズと指定された用紙サイズとから原稿サイズに対する用紙サイズの縦倍率及び横倍率をそれぞれ算出し、小さい方の倍率を最大値として原稿画像に対する変倍率を決定する変倍率決定手段と、決定された変倍率に従い、蓄積された原稿画像データに基づいて前記用紙に画像を形成する手段を備えたことを特徴とする画像形成装置。
【請求項２】
請求項１に記載された画像形成装置において、
前記変倍率決定手段は、検出された原稿サイズと指定された用紙サイズとから算出した原稿サイズの縦横比及び用紙サイズの縦横比に基づいて原稿及び用紙の縦横の設定を判定し、互いの設定が異なるときは、変倍率決定を不成立とする判断を可能にしたことを特徴とする画像形成装置。
【請求項３】
請求項１又は２に記載された画像形成装置において、
前記変倍率決定手段による決定内容を提示し、外部操作により決定内容に従う動作を中断するか否かを指示する手段、を備えたことを特徴とする画像形成装置。
【請求項４】
請求項３に記載された画像形成装置において、
前記動作の中断を原稿の読み取り及び読み取った原稿画像データの蓄積に対して指示しないようにしたことを特徴とする画像形成装置。
【請求項５】
請求項２又は３又は４に記載された画像形成装置において、
前記変倍率決定手段は、変倍率決定を不成立とする判断をした場合、原稿及び用紙の縦横の設定の変更を可能にしたことを特徴とする画像形成装置。
【請求項６】
原稿画像の読み取りを行う工程と、該読み取り動作に伴い原稿サイズの検出を行う工程と、読み取った原稿画像データを蓄積する工程と、検出された原稿サイズと指定された用紙サイズとから原稿サイズに対する用紙サイズの縦倍率及び横倍率をそれぞれ算出する工程と、算出された縦倍率、横倍率のうち小さい方の倍率を最大値として原稿画像に対する変倍率を決定する工程と、決定された変倍率に従い、蓄積された原稿画像データに基づいて前記用紙に画像を形成する工程とを備えたことを特徴とする画像形成方法。
【請求項７】
コンピュータに、原稿画像の読み取りを行う手順と、該読み取り動作に伴い原稿サイズの検出を行う手順と、読み取った原稿画像データを蓄積する手順と、検出された原稿サイズと指定された用紙サイズとから原稿サイズに対する用紙サイズの縦倍率及び横倍率をそれぞれ算出する手順と、算出された縦倍率、横倍率のうち小さい方の倍率を最大値として原稿画像に対する変倍率を決定する手順と、決定された変倍率に従い、蓄積された原稿画像データに基づいて前記用紙に画像を形成する手順とを実行させるプログラムを記憶したコンピュータ読取可能な記憶媒体。
【手続補正２】
【補正対象書類名】明細書
【補正対象項目名】発明の名称
【補正方法】変更
【補正の内容】
【発明の名称】画像形成装置、画像形成方法、及び記録媒体
【手続補正３】
【補正対象書類名】明細書
【補正対象項目名】０００１
【補正方法】変更
【補正の内容】
【０００１】
【発明の属する技術分野】
本発明は、読み取った原稿画像に電気的に変倍処理を行い、得た画像データに基づいて用紙へ画像形成を行う画像形成装置（例えば、複写機、ファクシミリ装置等）であり、シートスルー方式で原稿画像を読み取る動作とともに検出した原稿サイズと指示された用紙サイズから算出した縦、横倍率によって、最適な変倍率の画像を形成することが可能な前記画像形成装置、画像形成方法、及び記録媒体に関する。
【手続補正４】
【補正対象書類名】明細書
【補正対象項目名】０００４
【補正方法】変更
【補正の内容】
【０００４】
このように、従来の用紙指定変倍モードにより、異なるサイズが混在する原稿の連続読み取りを行う場合のサイズが小さい原稿、或いは原稿載置部で原稿のサイズチェックができないような原稿に対して、最適な変倍率で読み取りができなかったり、再読み取りを必要とし、装置のパフォーマンスを低下させていた。
本発明は、上述の従来技術の問題点に鑑みてなされたものであって、その目的は、原稿画像の読み取りとその読み取り動作に伴い原稿サイズの検出を行うことが可能な読み取り手段により用紙指定変倍の読み取りが可能な機能を備えた画像形成装置において、種々のサイズの原稿に対して再読み取りを行わなくても一度の読み取り動作により、適正な倍率の画像データを生成し、生成した画像データにより画像形成を行うことを可能とすることにある。
【手続補正５】
【補正対象書類名】明細書
【補正対象項目名】０００５
【補正方法】変更
【補正の内容】
【０００５】
【課題を解決するための手段】
請求項１の発明は、原稿画像の読み取りを行う原稿読み取り手段と、該読み取り動作に伴い原稿サイズの検出を行う原稿サイズ検出手段と、読み取った原稿画像データを蓄積する手段と、検出された原稿サイズと指定された用紙サイズとから原稿サイズに対する用紙サイズの縦倍率及び横倍率をそれぞれ算出し、小さい方の倍率を最大値として原稿画像に対する変倍率を決定する変倍率決定手段と、決定された変倍率に従い、蓄積された原稿画像データに基づいて前記用紙に画像を形成する手段を備えたことを特徴とする画像形成装置である。
【手続補正６】
【補正対象書類名】明細書
【補正対象項目名】０００６
【補正方法】変更
【補正の内容】
【０００６】
請求項２の発明は、請求項１に記載された画像形成装置において、前記変倍率決定手段は、検出された原稿サイズと指定された用紙サイズとから算出した原稿サイズの縦横比及び用紙サイズの縦横比に基づいて原稿及び用紙の縦横の設定を判定し、互いの設定が異なるときは、変倍率決定を不成立とする判断を可能にしたことを特徴とする。
【手続補正７】
【補正対象書類名】明細書
【補正対象項目名】０００８
【補正方法】変更
【補正の内容】
【０００８】
請求項４の発明は、請求項３に記載された画像形成装置において、前記動作の中断を原稿の読み取り及び読み取った原稿画像データの蓄積に対して指示しないようにしたことを特徴とするものである。
請求項５の発明は、請求項２又は３又は４に記載された画像形成装置において、前記変倍率決定手段は、変倍率決定を不成立とする判断をした場合、原稿及び用紙の縦横の設定の変更を可能にしたことを特徴とするものである。
請求項６の発明は、原稿画像の読み取りを行う工程と、該読み取り動作に伴い原稿サイズの検出を行う工程と、読み取った原稿画像データを蓄積する工程と、検出された原稿サイズと指定された用紙サイズとから原稿サイズに対する用紙サイズの縦倍率及び横倍率をそれぞれ算出する工程と、算出された縦倍率、横倍率のうち小さい方の倍率を最大値として原稿画像に対する変倍率を決定する工程と、決定された変倍率に従い、蓄積された原稿画像データに基づいて前記用紙に画像を形成する工程とを備えたことを特徴とする画像形成方法である。
請求項７の発明は、コンピュータに、原稿画像の読み取りを行う手順と、該読み取り動作に伴い原稿サイズの検出を行う手順と、読み取った原稿画像データを蓄積する手順と、検出された原稿サイズと指定された用紙サイズとから原稿サイズに対する用紙サイズの縦倍率及び横倍率をそれぞれ算出する手順と、算出された縦倍率、横倍率のうち小さい方の倍率を最大値として原稿画像に対する変倍率を決定する手順と、決定された変倍率に従い、蓄積された原稿画像データに基づいて前記用紙に画像を形成する手順とを実行させるプログラムを記憶したコンピュータ読取可能な記憶媒体である。
【手続補正８】
【補正対象書類名】明細書
【補正対象項目名】００３０
【補正方法】変更
【補正の内容】
【００３０】
【発明の効果】
（１）請求項１、６、７の発明に対応する効果
原稿読み取り動作に伴い検出された原稿サイズと指定された用紙サイズとから原稿サイズに対する用紙サイズの縦倍率及び横倍率をそれぞれ算出し、小さい方を画像形成時の原稿画像に対する変倍率として決定するようにしたので、一度の読み取り動作により、画像に欠けのない画像データを生成し、適正な画像形成を行うことができる。
（２）請求項２の発明に対応する効果
上記（１）の効果に加えて、原稿サイズの縦横比及び用紙サイズの縦横比をそれぞれ算出し、縦横比が原稿と用紙とで互いに異なるか否かにより、生じる余白の程度を判断し、著しい場合にのみ動作の中断等の対応をとり、例えばＡＢ系列とインチ系列の用紙間の違いで、著しい余白が生じない場合には、警告表示等の不要な動作を行わないようにすることで、装置のパフォーマンスを向上させることが可能になる。
（３）請求項３の発明に対応する効果
上記（１）、（２）の効果に加えて、余白が生じる場合、その程度を含め変倍率の決定内容として提示するようにし、外部操作により決定内容に従う動作を中断するか否かを指示可能としたので、ユーザーの意図しない画像形成動作が行われるのを防ぐことができる。
（４）請求項４の発明に対応する効果
上記（３）の効果に加えて、読み取り画像を蓄積するまでの処理までは完了させるようにするので、蓄積画像に対して設定を変更して画像形成動作を継続させる場合に、生産性を落とすことなく画像形成動作を行うことができる。
（５）請求項５の発明に対応する効果
上記（３）の効果に加えて、原稿及び用紙の縦横の設定の変更を可能にしたことで、ユーザーの設定ミスを是正し、ユーザーの意図しない画像形成動作が行われるのを防ぐことができる。